(57)【要約】      （修正有）【課題】簡易かつ低コストな手段で、被冷凍品の個別冷凍効果を向上可能にする。【解決手段】個別冷凍装置１０Ａは、内部に冷凍空間ｒを形成するハウジング１２と、ハウジング１２の内部に設けられ、搬送面を形成するベルト体２４に冷風ｃが吹き抜ける細孔を有するコンベアベルト１４と、ベルト体２４の下方から細孔を通して冷風ｃを吹き上げるファン１８と、コンベアベルト１４を振動させる振動発生手段とを備えている。前記振動発生手段は、振動を発振する振動モータ５０と、振動モータ５０が発振した振動をベルト体２４に伝達する剛性枠４０とからなる組立体３８で構成されている。剛性枠４０を構成する枠体４４は冷風ｃの通過を許容する冷風通過開口を有し、かつベルト体２４の下面と面接触してベルト体２４を支持する平面状の上面を有している。組立体３８は免震部材４８を介してフレーム４６に支持されている。【選択図】図１
2015212592.tif 000002
【特許請求の範囲】
【請求項１】
内部に冷凍空間を形成する冷凍室と、
前記冷凍室に設けられ、搬送面を形成するベルト体に冷風吹抜け孔を有するコンベアベルトと、
前記ベルト体の下方から前記冷風吹抜け孔を通して冷風を吹き上げる冷風形成手段と、
前記コンベアベルトを振動させる振動発生手段とを備えた個別冷凍装置において、
前記振動発生手段は、振動を発振する起振体と、該起振体が固定され該起振体が発振した振動を前記ベルト体に伝達する振動伝達体とで構成され、
前記振動伝達体は、前記ベルト体の搬送方向に延設されて前記ベルト体を支持し、冷風の通過を許容しつつ前記ベルト体の下面と面接触する平面状の支持面を有する剛性枠で構成され、前記起振体の振動を前記ベルト体に伝達するものであり、
前記起振体又は前記振動伝達体は免震部材を介して支持架台に支持されていることを特徴とする個別冷凍装置。
【請求項２】
冷媒循環路と、該冷媒循環路に設けられた圧縮機、蒸発器、膨張弁及び凝縮器からなる冷凍サイクル構成機器とを有する冷凍機を備え、
前記蒸発器は前記冷凍室の内部で前記冷風が形成された経路に配置されていることを特徴とする請求項１に記載の個別冷凍装置。
【請求項３】
前記蒸発器は前記コンベアベルトの側方に配置され、
前記冷風形成手段によって前記冷風は前記冷風吹抜け孔及び前記蒸発器を通過し、前記冷風の循環流が前記コンベアベルトの搬送方向に対し交差する方向に形成されていることを特徴とする請求項２に記載の個別冷凍装置。
【請求項４】
前記起振体は回転軸に偏心ウエイトが取り付けられた振動モータで構成され、
前記偏心ウエイトの重心は前記回転軸から偏心していることを特徴とする請求項１に記載の個別冷凍装置。
【請求項５】
前記振動伝達体が前記ベルト体の下方中央部に配置され、前記振動モータが前記振動伝達体のコンベア搬送方向又はベルト体幅方向の両側で前記振動伝達体に固定されてなる組立体がコンベア搬送方向に複数個設けられていることを特徴とする請求項１に記載の個別冷凍装置。
【請求項６】
コンベア搬送方向両側に形成されベルト体幅方向に沿う前記振動伝達体の側面は鉛直方向に対してコンベア搬送方向前方に傾斜した傾斜面で構成され、
前記傾斜面に前記振動モータが固定されていることを特徴とする請求項５に記載の個別冷凍装置。
【発明の詳細な説明】
【技術分野】
【０００１】
本発明は、エビなどの水産物、グリンピース、ブロッコリ等の農産物、マカロニなどの加工食品等の急速冷凍に好適な個別冷凍装置に関する。
【背景技術】
【０００２】
エビやかきなどの貝類の剥き身、魚肉等を凍結する場合、これらの被冷凍品は水分が多いため、積層状態で急速に凍結しようとすると互いに固着してしまい、これらを分離して包装することが困難になる場合がある。また、積層しないで平面状に配置すると、膨大な作業時間となる。
そこで、従来、野菜、果物、水産物等を大量にかつ１個々々互いに固着することなく分離した状態で急速に冷凍する（以下「ＩＱＦ処理」と言う。）ために、メッシュ状の開口を有するネットコンベアで被冷凍品を搬送しながら、ネットコンベアの下方から冷気を送り、被冷凍品を吹き上げながら冷凍する冷凍装置が用いられている。この装置では、被冷凍品を冷風で吹き上げながら冷凍するので、個々の被冷凍品を分離したまま冷凍できる。
【０００３】
特許文献１には、ＩＱＦ処理を行う冷凍装置が開示されている。この冷凍装置は、被冷凍品を積層しない状態でネットコンベア上に載置し、コンベア速度を速くして被冷凍品の表面を素早く凍結することで相互の固着をなくす１次冷凍と、１次冷凍後の被冷凍品を積層状態でネットコンベア上に載置し、コンベア速度を遅くして被冷凍品を内部まで凍結させる２次冷凍とを行うものである。これによって、装置のコンパクト化と作業時間の短縮を図っている。
【０００４】
特許文献２には、ＩＱＦ処理を行う冷凍装置として、被冷凍品を搬送するネットコンベアをハンマー状のもので上下に振動させる打撃振動装置を備えた冷凍装置が開示されている。この冷凍装置では、被冷凍品が冷却開始地点に到達した時点から打撃振動装置でネットコンベアを振動させることで、被冷凍品がネットコンベアにこびりつくのを防止している。
【先行技術文献】
【特許文献】
【０００５】
【特許文献１】特開昭５２−０９８２４８号公報
【特許文献２】特開平０８−２００９２３号公報
【発明の概要】
【発明が解決しようとする課題】
【０００６】
固着力が強いエビ、かき等の被冷凍品を冷凍する場合、特許文献１に開示された冷凍装置のように、コンベアベルトの下方から吹き上げる冷風の力だけでは吹上げ力が足りず、被冷凍品同士の固着を防止できない。
また、打撃振動装置を備えた特許文献２の冷凍装置は、コンベアベルトの全長を振動させるわけではないので振動力が十分でなく、個別冷凍効果を向上させることができない。
一方、特許文献２に開示されたような打撃振動装置をコンベアベルトの搬送方向全長に亘り設けると、個別冷凍効果を向上できるが、反面、冷凍装置が高コストとなるという問題がある。
また、前記打撃振動装置はコンベアベルトを点接触で叩いているため、コンベアベルトに破損が生じるおそれがある。
【０００７】
本発明は、かかる従来技術の課題に鑑みなされたものであり、簡易かつ低コストな手段で、被冷凍品の個別冷凍効果を向上可能な冷凍装置を実現することを目的とする。
【課題を解決するための手段】
【０００８】
本発明は、内部に冷凍空間を形成する冷凍室と、該冷凍室に設けられ、搬送面を形成するベルト体に冷風吹抜け孔を有するコンベアベルトと、ベルト体の下方から冷風吹抜け孔を通して冷風を吹き上げる冷風形成手段と、コンベアベルトを振動させる振動発生手段とを備えた個別冷凍装置に適用されるものである。
前記目的を達成するため、本発明において、前記振動発生手段は、振動を発振する起振体と、該起振体が固定され該起振体が発振した振動をベルト体に伝達する振動伝達体とで構成されている。また、前記振動伝達体は、ベルト体の搬送方向に延設されて前記ベルト体を支持し、冷風の通過を許容しつつ前記ベルト体の下面と面接触する平面状の支持面を有する剛性枠で構成されている。
【０００９】
本発明の振動伝達体は、冷風の通過を許容するため、搬送面を形成するベルト体の下面全面に亘り面接触しているわけではなく、部分的又は分散した状態で一部は冷風通過開口を形成している。前記振動伝達体は、該冷風通過開口を除き、ベルト体の下面と面接触しているため、起振体が発生する振動を効率良くベルト体に伝達できる。また、振動伝達体は大掛かりな構成とする必要はなく、低コストな構成でコンベアベルトの搬送方向全長に亘りベルト体に十分な振動を伝達できる。
そのため、冷風が被冷凍品に作用する浮遊力とベルト体に付加される大きな振動とで、被冷凍品相互間の固着や被冷凍品のベルト体への固着を効果的に防止できる。
【００１０】
また、本発明では、起振体又は振動伝達体は免震部材を介して支持架台に支持されている。これによって、起振体や振動伝達体の振動が支持架台に伝達するのを防止でき、起振体や振動伝達体を安定支持できる。
【００１１】
本発明の一実施態様では、冷媒循環路と、該冷媒循環路に設けられた圧縮機、蒸発器、膨張弁及び凝縮器からなる冷凍サイクル構成機器とを有する冷凍機を備え、該蒸発器は冷凍室の内部で冷風が形成された経路に配置されている。
この実施態様では、冷凍室内に冷風を形成させる手段として、冷凍機を設けたものである。前記実施態様において、冷凍サイクル構成機器のうち、蒸発器を冷凍室の内部に配置し、他の冷凍サイクル構成機器を冷凍室外に配置することで、冷凍室の内部で冷風を形成するために十分な空間を形成できる。また、冷風の圧力損失を低減できるため、冷風形成手段の動力を低減できる。
【００１２】
前記実施態様において、さらに具体的には、蒸発器をコンベアベルトの側方に配置し、前記冷風形成手段によって、冷風が冷風吹抜け孔及び蒸発器を通過し、冷風の循環流がコンベアベルトの搬送方向に対し交差する方向に形成されるようにすることができる。
これによって、コンベアベルトの搬送方向全長に亘り、冷凍装置を大掛かりにすることなく、前記冷風循環流を容易に形成できる。
【００１３】
本発明の別な一実施態様では、起振体は回転軸に偏心ウエイトが取り付けられた振動モータで構成され、該偏心ウエイトの重心は回転軸から偏心している。
かかる構成の振動モータは公知である。前記偏心ウエイトが回転することで、振動モータは全方向に遠心力が発生し、振動モータ自体が起振する。こうして、起振体を前記構成の振動モータで構成することで、簡易かつ低コストな手段で起振体を構成できる。
【００１４】
本発明のさらに別な一実施態様では、振動伝達体がベルト体の下方中央部に配置され、振動モータが振動伝達体のコンベア搬送方向又はベルト体幅方向の両側で振動伝達体に固定されてなる組立体を有している。そして、該組立体はコンベア搬送方向にコンベアベルト全長の長さに応じた数だけ複数個設けられる。
かかる構成の実施態様では、振動モータが発振する振動をコンベアベルトの全域にムラなく伝達できる。また、予め前記組立体を複数個製造しておけば、該組立体をコンベアベルトの全長に応じた数だけ取り付ければよい。そのため、振動伝達体の取付けが容易になる。
【００１５】
本発明のさらに別な一実施態様では、コンベア搬送方向両側に形成されベルト体幅方向に沿う振動伝達体の側面が鉛直方向に対してコンベア搬送方向前方に傾斜した傾斜面で構成されている。そして、前記傾斜面に振動モータが固定するようにする。
これによって、振動モータから振動伝達体に対して、振動方向がコンベア搬送方向前方に向かう振動が付与される。かかる振動がコンベアベルトに付与することで、被冷凍品の搬送方向への前進を補助できるので、コンベアベルトの駆動力を低減できる。
【発明の効果】
【００１６】
本発明によれば、簡易かつ低コストな手段で、コンベアベルトの搬送方向全長に亘りコンベアベルトを振動させることができる。そのため、冷風が被冷凍品に作用する浮遊力とコンベアベルトに付加される振動とで、被冷凍品相互間の固着や被冷凍品のベルト体への固着を効果的に防止できる。
【図面の簡単な説明】
【００１７】
【図１】本発明の第１実施形態に係る個別冷凍装置の正面視断面図である。
【図２】前記個別冷凍装置の側面視断面図である。
【図３】前記個別冷凍装置に用いられるベルト体の斜視図である。
【図４】図２中のＡ部拡大断面図である。
【図５】本発明の第２実施形態に係る個別冷凍装置の正面視断面図である。
【図６】前記第２実施形態に係る個別冷凍装置の側面視断面図である。
【発明を実施するための形態】
【００１８】
以下、本発明を図に示した実施形態を用いて詳細に説明する。但し、この実施形態に記載されている構成部品の寸法、材質、形状、その相対配置などは特に特定的な記載がない限り、この発明の範囲をそれのみに限定する趣旨ではない。
【００１９】
（実施形態１）
本発明の第１実施形態に係る個別冷凍装置を図１〜図４に基づいて説明する。
図１及び図２において、本実施形態に係る個別冷凍装置１０Ａは、例えば、−３５〜−２０℃の冷凍空間ｒを内部に形成するハウジング１２を有している。ハウジング１２は、後述するコンベアベルト１４が配置される入口開口１２ａ及び凍結された被冷凍品が取り出されるシュート１６が設けられた出口開口１２ｂを除いて、外部に対し密閉した構成を有している。
【００２０】
ハウジング１２の内部には、外形が直方体形状を有する枠組みからなり、コンベアベルト１４及び複数のファン１８等を取り付ける支持フレーム２０が設けられ、支持フレーム２０の上部にコンベアベルト１４が設けられている。
支持フレーム２０から突出部２２が突設され、突出部２２は入口開口１２ａからハウジング１２の外側に突設されている。突出部２２にはコンベアベルト１４が巻回された従動スプロケット２６が回転可能に取り付けられている。
【００２１】
出口開口１２ｂ近傍の支持フレーム２０には駆動スプロケット２８が回転可能に取り付けられ、駆動スプロケット２８にコンベアベルト１４が巻回されている。駆動スプロケット２８の下方で駆動モータ３０が支持フレーム２０に取り付けられている。駆動モータ３０で駆動スプロケット２８を駆動することで、コンベアベルト１４の往路１４ａが矢印ａ方向（搬送方向）へ移動する。
突出部２２でエビなどの水産物、グリンピース、ブロッコリ等の農産物、マカロニなどの加工食品からなる被冷凍品が包装されずばらばらの状態でコンベアベルト１４に載置され、ハウジング１２の内部に搬送される。
【００２２】
コンベアベルト１４の往路１４ａの上面に接し該上面を囲うように幅方向両縁部に、搬送方向に沿って囲い壁３２が設けられている。囲い壁３２で被冷凍品がベルト体２４から落下するのを防止している。コンベアベルト１４の復路１４ｂは複数のガイドローラ３４によって位置決めされ案内されている。
図３に示すように、コンベアベルト１４を構成するベルト体２４はステンレス鋼製の多数のリング２４ａで編成されており、リング２４ａの間にメッシュ状の細孔（貫通孔）２４ｂが形成されている。
【００２３】
また、図４に示すように、往路１４ａの上面両側に設けられた囲い壁３２の下部には、搬送方向に沿ってシリコンゴム製の遮蔽板３３が設けられている。遮蔽板３３はベルト体２４の上面に接しており、囲い壁３２とベルト体上面との隙間を塞いでいる。これによって、該隙間から被冷凍品がこぼれるのを防止できる。
【００２４】
コンベアベルト１４の往路１４ａと復路１４ｂとの間に、剛性枠４０及び振動モータ５０で構成された組立体３８が設けられている。剛性枠４０は、ベルト体２４の幅方向中央に配置された直方体形状のケーシング４２と、ケーシング４２の上面に一体に固着された複数の枠体４４とで構成されている。ケーシング４２及び枠体４４は、下方から上方へ冷風が通過可能な開放された開口を有している。
図２に示すように、枠体４４はベルト体幅方向の辺長がケーシング４２より大きく、上下方向辺長がケーシング４２より小さい扁平な直方体形状を有している。また、図１に示すように、枠体４４は搬送方向に沿って間隔を置いて複数配置されている。
【００２５】
枠体４４の上面４４ａは平面形状を有し、上面４４ａはベルト体２４に面接触してベルト体２４を下方から支持している。枠体４４はベルト体２４の搬送方向に間隔を置いて配置され、ベルト体２４の搬送面全域に配置されていない。枠体４４が配置されていない領域を冷風通過開口とすることができるため、上面４４ａは開口がない密閉壁とすることができる。従って、後述するファン１８によって形成される上向きの冷風ｃは、枠体４４間を通ってベルト体２４の細孔２４ａから上方へ吹き出すことができる。
枠体４４がベルト体２４の搬送方向全域に配置される場合、上面４４ａに冷風ｃが通過する開口を形成する必要がある。この場合、上面４４ａは外枠のみで構成してもよい。
【００２６】
組立体３８は搬送方向に沿って２基設けられている。各組立体３８の剛性枠４０は、支持フレーム２０に水平方向にかつベルト体幅方向に取り付けられたフレーム４６に免震部材４８を介して支持されている。免震部材４８は例えば防振ゴム、コイルバネのような弾性を有する部材で構成することができる。
【００２７】
ケーシング４２のベルト体幅方向の両側面に、夫々振動モータ５０が取り付けられている。振動モータ５０は、前述のように、回転軸に偏心ウエイトが装着され、該偏心ウエイトの重心は該回転軸から偏心している。該偏心ウエイトが回転軸と共に回転することで、振動モータ５０は円周方向全域に遠心力が発生し、振動モータ自体が起振する。かかる構成の振動モータは公知であるため、構成の詳細な説明は省略する。
振動モータ５０は各剛性枠４０に２個ずつ設けられている。振動モータ５０のモータケーシングの振動はケーシング４２及び枠体４４を介してベルト体２４に伝達され、ベルト体２４を振動させる。
【００２８】
組立体３８の下方にファン１８が設けられている。ファン１８は各組立体３８の下方に１個ずつ設けられている。ファン１８はケーシング５２と、ケーシング５２の内部に設けられ複数の羽根５４及びその駆動モータ５６とで構成されている。ケーシング５２は支持フレーム２０に取り付けられたフレーム５８に取り付けられている。
ファン１８を稼働させることで、上向きの冷風ｃを形成でき、この冷風ｃは剛性枠４０に形成された開口を通ってベルト体２４の細孔２４ａから吹き出し、ベルト体２４に載置された被冷凍品を上方に吹き上げながら被冷凍品を冷却する。
【００２９】
本実施形態では、冷凍空間ｒの空気を冷却するための冷凍機６０が設けられている。冷凍機６０は、冷媒循環路６２と、冷媒循環路６２に設けられた圧縮機６４、クーラ（蒸発器）６６、膨張弁６８及び凝縮器７０等の冷凍サイクル構成機器とで構成されている。クーラ６６はハウジング１２の内部に配設され、支持架台７２によって支持され、その他の構成機器はハウジング１２の外部に配置されている。
【００３０】
ファン１８によって形成された冷風ｃは、図２に示す矢印方向に循環し、クーラ６６の上部からクーラ６６に進入する。冷風ｃはクーラ６６を構成する伝熱管内を流れる冷媒（例えば、ＨＦＣ、ＮＨ３、ＣＯ２等）と熱交換し、例えば−３５〜−２０℃に冷却される。冷却された冷風ｃはクーラ６６の下方に流下し、その後、ファン１８の下方から上方に循環する。
【００３１】
かかる構成において、小形のばら物からなる被冷凍品は、突出部２２でコンベアベルト１４に載置され、ケーシング４２の内部に搬入される。被冷凍品はケーシング５２の内部でベルト体２４の細孔２４ａから吹き上がる冷風ｃによって吹き上げられながら急速に凍結する。そのため、被冷凍品が互いに固着することなく、かつベルト体２４に固着することなく急速冷凍される。凍結された被冷凍品はシュート１６からハウジング１２の外に搬出され梱包などの処理がなされる。
【００３２】
本実施形態によれば、剛性枠４０を構成する枠体４４は平面状の上面４４ａを有し、上面４４ａは冷風ｃが通過する開口を除きベルト体２４の下面と面接触しているため、振動モータ５０が発する振動を効率良くベルト体２４に伝達できる。そのため、冷風ｃが被冷凍品に作用する浮遊力とベルト体に付加される大きな振動とで、被冷凍品相互間の固着や被冷凍品のベルト体２４への固着を効果的に防止できる。
また、振動を効率良くベルト体２４に伝達できるため、振動モータ５０の動力を低減できると共に、簡易かつ低コストな構成の剛性枠４０を用いてこれを達成できる。
【００３３】
また、振動モータ５０及び剛性枠４０を免震部材４８を介してフレーム４６に支持させているので、組立体３８の振動が支持フレーム２０に伝達するのを防止でき、組立体３８を安定支持できる。
また、冷凍機６０のうち、クーラ６６のみをハウジング１２の内部に配置し、他の冷凍サイクル構成機器をハウジング１２外に配置したことで、冷凍空間ｒで冷風ｃの形成が容易になると共に、冷風ｃの圧力損失を低減できるため、ファン１８の動力を低減できる。
【００３４】
また、ハウジング１２の内部で、クーラ６６をコンベアベルト１４の側方に配置し、冷風ｃをベルト体２４の細孔２４ａとクーラ６６との間に循環させ、コンベアベルト１４の搬送方向に対し直交する方向に冷風ｃの循環流を形成したので、コンベアベルト１４の搬送方向全長に亘り、個別冷凍装置１０Ａを大掛かりな構成とすることなく、冷風循環路を形成できる。
【００３５】
また、起振体として偏心ウエイトを回転軸に取り付けた振動モータ５０を用いたことにより、起振体を簡易かつ低コストな構成とすることができる。
さらに、振動モータ５０は各ケーシング４２のベルト体幅方向両側の側面に２個ずつ設けられているので、振動モータ５０の振動をコンベアベルト１４の全域にムラなく伝達できる。また、剛性枠４０と振動モータ５０とで構成された組立体３８がコンベアベルト１４の搬送方向にコンベアベルト１４の搬送方向長さに応じて複数設けられるので、振動発生手段の取付けが容易になる。
【００３６】
なお、本実施形態において、コンベアベルト１４の搬送方向下流側に、個別冷凍装置１０Ａとは別の個別冷凍装置を付設し、さらなるＩＱＦ処理を行うようにしてもよい。
また、個別冷凍装置１０Ａにおいて、ハウジング１２を搬送方向にさらに延長させると共に、コンベアベルト１４の搬送方向長さを延長することで、個別冷凍装置１０ＡのＩＱＦ処理効果を向上させるようにしてもよい。
【００３７】
（実施形態２）
次に、本発明の第２実施形態に係る個別冷凍装置１０Ｂを図５及び図６に基づいて説明する。
本実施形態では、ベルト体２４の往路１４ａと復路１４ｂの間に、剛性枠４０及び振動モータ５０で構成された組立体３８が設けられている。剛性枠４０は、ベルト体２４の幅方向中央に配置された直方体形状のケーシング４２と、ケーシング４２の上面に固着された枠体４４とで構成されている。ケーシング４２及び枠体４４は、下方から上方へ冷風が通過可能な開放された開口を有している。
図５に示すように、枠体４４は搬送方向の辺長がケーシング４２より大きく、上下方向辺長がケーシング４２より小さい扁平な直方体形状を有している。また、図６に示すように、ケーシング４２及び枠体４４のベルト体幅方向の辺長は同一である。
【００３８】
枠体４４の上面４４ａは平面形状を有し、上面４４ａはベルト体２４に面接触してベルト体２４を下方から支持している。組立体３８は搬送方向に沿って複数設けられている本実施形態では、枠体４４はベルト体２４の搬送面の大部分の領域に配設されているため、上面４４ａは冷風通過開口を有している。
ケーシング４２のベルト体幅方向に沿う側面は、鉛直方向に対し搬送方向前方に傾斜している。ケーシング５２の搬送方向両側で該傾斜面に振動モータ５０が取り付けられている。
【００３９】
かかる構成において、振動モータ５０が発する振動は、ケーシング４２に対して前記傾斜面と平行であり、即ち、鉛直方向に対して搬送方向前方に傾斜した方向の振動として伝達される。前記振動は枠体４４を介してベルト体２４に鉛直方向に対して搬送方向前方に傾斜した方向の振動として伝達される。
【００４０】
図６に示すように、ハウジング１２の内部でコンベアベルト１４の側方に支持フレーム７２が立設されている。支持フレーム７２の下部にファン１８が取り付けられ、支持フレーム７２の上部にクーラ６６が取り付けられている。
図５に示すように、各組立体３８に対応した位置に組立体３８の数と同数のファン１８が設けられている。ファン１８の稼働によって矢印方向に循環し、ベルト体２４の細孔２４ａ及びクーラ６６を通る冷風ｃの循環流が形成される。
【００４１】
図５に示すように、搬送方向に２個のクーラ６６が配設され、クーラ６６と同数の冷凍機６０が設けられている。即ち、各クーラ６６に対応して冷凍機６０が設けられ、他の冷凍サイクル構成機器はハウジング１２の外側に設けられている。その他の構成は前記第１実施形態と同一である。
【００４２】
本実施形態によれば、第１実施形態に係る個別冷凍装置１０Ａで得られる作用効果に加えて、振動モータ５０がケーシング４２の搬送方向両側の側面４２ａ及び４２ｂに固定されてなる組立体３８で構成されているので、振動モータ５０が発振する振動をコンベアベルト１４の全域にムラなく伝達できる。
また、組立体３８を搬送方向に沿って組み付けていけばよく、かつ組立体３８の取付け個数はコンベアベルト１４の搬送方向全長の長さに応じて決定すればよいので、振動発生手段の取付けが容易になる。
【００４３】
また、ケーシング４２の搬送方向両側の側面４２ａ及び４２ｂが搬送方向前方に傾斜した傾斜面で構成され、該傾斜面に振動モータ５０が固定されているので、コンベアベルト１４に搬送方向前方の振動が伝達される。そのため、コンベアベルト１４の振動によって被冷凍品を搬送方向前方へ付勢する付勢力が加わり、被冷凍品の前進を補助することができる。従って、コンベアベルト１４を駆動する駆動モータ３０の動力を低減できる。
【産業上の利用可能性】
【００４４】
本発明によれば、簡易かつ低コストな手段で、個別冷凍効果を向上可能な冷凍装置を実現できる。
【符号の説明】
【００４５】
１０Ａ、１０Ｂ                        個別冷凍装置
１２                                  ハウジング
１２ａ                              入口開口
１２ｂ                              出口開口
１４                                  コンベアベルト
１６                                  シュート
１８                                  ファン（冷風形成手段）
２０                                  支持フレーム
２２                                  突出部
２４                                  ベルト体
２４ａ                              リング
２４ｂ                              細孔
２６                                  従動スプロケット
２８                                  駆動スプロケット
３０、５６                            駆動モータ
３２                                  囲い壁
３４                                  ガイドローラ
３８                                  組立体（振動発生手段）
４０                                  剛性枠（振動伝達体）
４２、５２                            ケーシング
４２ａ、４２ｂ                      側面（傾斜面）
４４                                  枠体
４４ａ                              上面（支持面）
４６                                  フレーム（支持架台）
４８                                  免震部材
５０                                  振動モータ（起振体）
５４                                  羽根
５８                                  フレーム
６０                                  冷凍機
６２                                  冷媒循環路
６４                                  圧縮機
６６                                  クーラ
６８                                  膨張弁
７０                                  凝縮器
７２                                  支持架台
ｃ                                    冷風
ｒ                                    冷凍空間
【図１】
2015212592.tif 000003
【図２】
2015212592.tif 000004
【図３】
2015212592.tif 000005
【図４】
2015212592.tif 000006
【図５】
2015212592.tif 000007
【図６】
2015212592.tif 000008